(57)【要約】      （修正有）【課題】市販の携帯電話を接続することにより、 監視カメラシステムや遠隔リモコンシステムを簡易かつ低価格で実現できる携帯電話機能拡張装置を提供する。【解決手段】携帯電話と信号の授受を行うインターフェイス部と、外部の機器から１つまたは複数の信号を携帯電話機能拡張装置に入力するための外部信号入力部と、外部信号入力部に入力された信号に基づいて、アプリケーションソフトを前記携帯電話へロードするアプリケーションソフトロード部と、携帯電話にロードされた前記アプリケーションソフトを起動させる手段と、を有する携帯電話機能拡張装置に携帯電話を接続することによって、監視カメラシステムや遠隔リモコンシステム等を構成する。【選択図】  図１
2006262315.tif 000002
【特許請求の範囲】
【請求項１】
デジタルカメラ機能を内蔵するとともに商用の電波を使って音声・文字列・画像データを送受信する機能を備えた携帯電話に接続する前記携帯電話の機能を拡張する装置（以下「携帯電話機能拡張装置」ともいう。）であって、
前記携帯電話を前記携帯電話機能拡張装置に接続することによって、接続された携帯電話（以下「接続携帯電話」ともいう）と信号の授受を行うインターフェイス部と、
外部の機器から１つまたは複数の信号を前記携帯電話機能拡張装置に入力するための外部信号入力部と、
前記外部信号入力部に入力された信号および／または前記接続携帯電話が受信したデータに基づいて、前記携帯電話機能拡張装置に各種の機能を発揮させるために開発されたプログラム（以下「アプリケーションソフト」という）を前記接続携帯電話へロードするアプリケーションソフトロード部と、
前記接続携帯電話にロードされた前記アプリケーションソフトを起動させるアプリケーションソフト起動部と、
前記携帯電話機能拡張装置全体を制御する中央処理部と、
を有することを特徴とする携帯電話機能拡張装置。
【請求項２】
デジタルカメラ機能を内蔵するとともに商用の電波を使って音声・文字列・画像データを送受信する機能を備えた携帯電話に接続する前記携帯電話機能拡張装置であって、
前記携帯電話を前記携帯電話機能拡張装置に接続することによって、前記接続携帯電話と信号の授受を行うインターフェイス部と、
前記アプリケーションソフトロード部と、
設定された時刻または一定の時間毎に、前記アプリケーションソフトを前記接続携帯電話へロードして、前記   アプリケーションソフトを起動して前記接続携帯電話が有する機能を発揮させるタイマー部と、
前記携帯電話機能拡張装置全体を制御する中央処理部と、
を有することを特徴とする携帯電話機能拡張装置。
【請求項３】
請求項１に記載の携帯電話機能拡張装置であって、
前記アプリケーションソフトは起動すると、前記アプリケーションソフトで指定された一定時間の間、前記接続携帯電話が有する機能を起動させるものであることを特徴とする請求項１に記載の携帯電話機能拡張装置。
【請求項４】
前記接続携帯電話を保持するとともに、前記接続携帯  電話のデジタルカメラの視野を前記外部信号入力部より入力された信号に応じて水平方向及び／または垂直方向に振る手段を有するチルト・パン機構部を有することを特徴とする 請求項１乃至３に記載の携帯電話機能拡張装置
【請求項５】
デジタルカメラ機能を内蔵するとともに商用の電波を使って音声・文字列・画像データを送受信する機能を備えた携帯電話に接続する携帯電話機能拡張装置であって、
前記携帯電話を前記携帯電話機能拡張装置に接続することによって、前記接続携帯電話と信号の授受を行うインターフェイス部と、
前記アプリケーションソフトロード部と、
前記アプリケーションソフト起動部と、
前記接続携帯電話の有する自動受信機能によって自動受信したデータを解読・処理して前記データに応じて外部機器を制御するための信号を出力する自動受信データ処理・外部信号出力部と、
前記携帯電話機能拡張装置全体を制御する中央処理部と、
を有することを特徴とする携帯電話機能拡張装置。
【請求項６】
デジタルカメラ機能を内蔵するとともに商用の電波を使って音声・文字列・画像データを送受信する機能を備えた携帯電話に接続する携帯電話機能拡張装置であって、
前記携帯電話を前記携帯電話機能拡張装置に接続することによって、前記接続携帯電話と信号の授受を行うインターフェイス部と、
前記アプリケーションソフトロード部と、
前記アプリケーションソフト起動部と、
前記接続携帯電話の有する自動受信機能によって自動受信したデータを解読・処理して前記データに応じて前記接続携帯電話が有する機能を起動させる自動受信データ処理・携帯機能起動部と、
前記携帯電話機能拡張装置全体を制御する中央処理部と、
を有することを特徴とする携帯電話機能拡張装置。
【請求項７】
前記接続携帯電話を保持するとともに、前記接続携帯  電話のデジタルカメラの視野を前記接続携帯電話が自動受信したデータに応じて、水平方向及び垂直方向に振る手段を有するチルト・パン機構部と、
前記携帯電話機能拡張装置全体を制御する中央処理部と、
を有することを特徴とする請求項５及び６に記載の携帯電話機能拡張装置。
【請求項８】
前記接続携帯電話を保持し、前記外部信号入力部より入力された信号に応じて、携帯電話機能拡張装置全体が走行する手段を有することを特徴とする請求項１乃至４に記載の携帯電話機能拡張装置。
【請求項９】
前記接続携帯電話を保持し、前記接続携帯電話が受信したデータに応じて、携帯電話機能拡張装置全体が走行する手段を有することを特徴とする請求項５乃至７に記載の携帯電話機能拡張装置。
【請求項１０】
前記接続携帯電話を保持する手段を有することを特徴とする請求項１、請求項２、請求項３、請求項５及び請求項６に記載の携帯電話機能拡張装置。
【請求項１１】
前記接続携帯電話の充電池を充電する手段を有することを特徴とする請求項１乃至１０に記載の携帯電話機能拡張装置。
【発明の詳細な説明】
【技術分野】
【０００１】
本発明は、デジタルカメラ付き携帯電話を接続することにより、 前記接続携帯電話を制御し、接続携帯電話に各種の機能を付加する携帯電話機能拡張装置に関する。
【背景技術】
【０００２】
近年の技術の進歩とともに、携帯電話の機能は著しく向上し、携帯電話はその価格の割には高度な機能を有している。そのために、携帯電話を利用して、各種の遠隔制御システ
ムの構築が提案されている（文献  特開２００３−２３４９３８、特開２００４−４８５７１）。これらのうち代表的なシステムは遠隔制御監視システムであり、なかには、視野を上下左右に移動させる機能を付加した専用の監視カメラを設置し、ズーム・上下・左右・首振りの制御を遠隔地から携帯電話によって、制御するものもある。
【特許文献１】特開２００３−２３４９３８、特開２００４−４８５７１
【発明の開示】
【発明が解決しようとする課題】
【０００３】
しかし、これらの提案に係るシステムは携帯電話をそのシステムに固有のものとして位置づけている。そのために、システムの構成要素である携帯電話は特殊な機能・仕様を必須条件としている場合が多く、従来のこれらのシステムにおける携帯電話はそのシステムの専用品であり、日常的な音声・メール機能を使用しての携帯電話として活用できない場合がほとんどである。また、これらのシステムは携帯電話以外に、固定 電話用の通信回線や、インターネット環境を必要とする場合も多く、システムは比較的高価なものとなる。
【０００４】
そこで、本発明は日常的には音声・メールによるコミュニケーション手段として使用できる市販の携帯電話を、そのまま、もしくは、簡単な機能・アプリケーションソフトを追加するだけで、本発明に係る携帯電話機能拡張装置に接続すれば、遠隔監視カメラ、遠隔家電製品リモコンシステム等のシステムを気軽に、かつ、低価格で構築できる携帯電話機能拡張装置を提案する。
【課題を解決するための手段】
【０００５】
上記課題を解決するために、請求項１に記載の発明はデジタル  カメラ機能を内蔵するとともに商用の電波を使って音声・文字列・画像データを送受信する機能を備えた携帯電話に接続する前記携帯電話の機能を拡張する装置であって、
前記携帯電話を前記携帯電話機能拡張装置に接続することによって、接続された携帯電話と信号の授受を行うインター  フェイス部と、
外部の機器から１つまたは複数の信号を前記携帯電話機能拡張装置に入力するための外部信号入力部と、
前記外部信号入力部に入力された信号および／または前記接続携帯電話が受信したデータに基づいて、前記携帯電話機能拡張装置に各種の機能を発揮させるために開発されたプログラムを前記接続携帯電話へロードするアプリケーションソフトロード部と、
前記接続携帯電話にロードされた前記アプリケーションソフトを起動させるアプリケーションソフト起動部と、
前記携帯電話機能拡張装置全体を制御する中央処理部と、
を有することを特徴とする。
【０００６】
また、請求項２に記載の発明は、デジタルカメラ機能を内蔵するとともに商用の電波を使って音声・文字列・画像データを送受信する機能を備えた携帯電話に接続する前記携帯電話機能拡張装置であって、
前記携帯電話を前記携帯電話機能拡張装置に接続することによって、前記接続携帯電話と信号の授受を行うインターフェイス部と、
前記アプリケーションソフトロード部と、
設定された時刻または一定の時間毎に、前記アプリケーションソフトを前記接続携帯電話へロードして、前記   アプリケーションソフトを起動して前記接続携帯電話が有する機能を発揮させるタイマー部と、
前記携帯電話機能拡張装置全体を制御する中央処理部と、
を有することを特徴とする。
【０００７】
また、請求項３に記載の発明は、請求項１に記載の  携帯電話機能拡張装置に係り、前記アプリケーションソフトは起動すると、前記アプリケーションソフトで指定された一定時間の間、前記接続携帯電話が有する機能を 起動させるものであることを特徴とする。
【０００８】
また、請求項４に記載の発明は、請求項１乃至３に 記載の携帯電話機能拡張装置に係り、前記接続携帯電話を保持するとともに、前記接続携帯電話のデジタルカメラの視野を前記外部信号入力部より入力された信号に応じて水平方向及び／または垂直方向に振る手段を有するチルト・パン機構部を有することを特徴とする。
【０００９】
また、請求項５に記載の発明は、デジタルカメラ機能を内蔵するとともに商用の電波を使って音声・文字列・画像データを送受信する機能を備えた携帯電話に接続する携帯電話機能拡張装置であって、前記携帯電話を前記携帯電話機能拡張装置に接続することによって、前記接続携帯電話と信号の授受を行うインターフェイス部と、
前記アプリケーションソフトロード部と、
前記アプリケーションソフト起動部と、
前記接続携帯電話の有する自動受信機能によって自動受信したデータを解読・処理して前記データに応じて外部機器を制御するための信号を出力する自動受信データ処理・外部信号出力部と、
を有することを特徴とする。
【００１０】
また、請求項６に記載の発明は、デジタルカメラ機能を内蔵するとともに商用の電波を使って音声・文字列・画像データを送受信する機能を備えた携帯電話に接続する携帯電話機能拡張装置であって、前記携帯電話を前記携帯電話機能拡張装置に接続することによって、前記接続携帯電話と信号の授受を行うインターフェイス部と、
前記アプリケーションソフトロード部と、
前記アプリケーションソフト起動部と、
前記接続携帯電話の有する自動受信機能によって自動受信したデータを解読・処理して前記データに応じて前記接続携帯電話が有する機能を起動させる自動受信データ処理・携帯機能起動部と、
を有することを特徴とする。
【００１１】
また、請求項７に記載の発明は、請求項１乃至３に 記載の携帯電話機能拡張装置に係り、前記接続携帯電話を保持するとともに、前記接続携帯電話のデジタルカメラの視野を前記接続携帯電話が自動受信したデータに応じて、水平方向及び垂直方向に振る手段を有するチルト・パン機構部と、
を有することを特徴とする。
【００１２】
また、請求項８に記載の発明は、請求項１乃至４に 記載の携帯電話機能拡張装置に係り、前記接続携帯電話を保持し、前記外部信号入力部より入力された信号に応じて、携帯電話機能拡張装置全体が走行する手段を有することを特徴とする。
【００１３】
また、請求項９に記載の発明は、請求項５乃至７に 記載の携帯電話機能拡張装置に係り、前記接続携帯電話を保持し、前記接続携帯電話が受信したデータに応じて、携帯電話機能拡張装置全体が走行する手段を有することを特徴とする。
【００１４】
また、請求項１０に記載の発明は、請求項１、請求項２、請求項３、請求項５及び請求項６に記載の携帯電話機能拡張装置に係り、前記接続携帯電話を保持する手段を有することを特徴とする。
【００１５】
また、請求項１１に記載の発明は、請求項１乃至１０に記載の携帯電話機能拡張装置に係り、前記接続携帯電話の充電池を充電する手段を有することを特徴とする。
【発明の効果】
【００１６】
請求項１に記載の発明によれば、市販のデジタルカメラ機能付の携帯電話を請求項１に記載の携帯電話機能拡張装置に接続し、外部機器として、防犯用の赤外線センサーの出力を携帯電話機能拡張装置の外部信号入力部に接続し、赤外線センサーからの信号をトリガーとして、接続携帯  電話へアプリケーションソフトをロードして、接続携帯電話のカメラに撮像開始信号を与えて、撮像させ、更に、撮像した画像を添付ファイルとして他の固定電話等へ送信する。この処理により、携帯電話機能拡張装置を簡易な監視カメラシステムとして活用できる。
【００１７】
また、請求項２に記載の発明によれば、アプリケーションソフトの内容を、携帯電話機能拡張装置に接続された携帯電話のデジタルカメラにより、携帯電話機能拡張装置の周辺の画像を撮影させ、その画像を所定のアドレスヘ送付すべき命令としておくことにより、設定された時刻または一定の時間毎に、画像を所定のアドレスへ送付するという機能を有する監視カメラシステムを安価かつ、 手軽に構築できる。具体的な用途としては、例えば、痴呆症の老人や赤ちゃんの様子を遠方より監視する場合や、工場の製造ラインの状況の監視等が考えられる。
【００１８】
また、請求項３に記載の発明によれば、請求項１に 記載の発明の効果をある時間継続して得られる。例えば、赤外線センサーからの信号をトリガーとして、接続携帯電話へアプリケーションソフトをロードして、接続携帯電話のカメラに撮像開始 信号を与えて、撮像し、更に、撮像した画像を添付ファイルとして他の固定電話等へ送信するという処理をある時間継続して行わせることができる。
【００１９】
また、請求項４に記載の発明によれば、請求項１乃至３に記載の発明の効果に加えて、前記携帯電話機能拡張装置に接続された前記接続携帯電話の向きを遠隔地の携帯電話等（以下「遠隔地携帯電話等」ともいう）から水平 方向・垂直方向に振ることが可能になるという効果を得られる。ここで「遠隔地携帯電話等」と「等」をつけている理由はインターネットメール機能を有するものであれば固定電話、ＰＤＡ(Personal Digital Assistant)またはＰＣ(Personal Computer)をも含む意味である。また、請求項１乃至３に記載の発明により、請求項２に記載の発明として、設定された時刻または一定の時間毎に、画像を所定のアドレスへ送付するという機能を有する監視カメラシステムを実現した場合には、さらに、デジタルカメラの視野を水平方向・垂直方向に振ることが可能になるという効果を得られる。
【００２０】
また、請求項５に記載の発明によれば、前記携帯電  話機能拡張装置に接続された前記接続携帯電話にデータを送信することによって、前記携帯電話機能拡張装置に接続された外部機器を制御することができる。例えば外部機器として、エアコンのリモコンと同様にエアコンのオン・オフ等ができ、かつ前記携帯電話機能拡張装置１０１に接続することによりにより、前記携帯電話機能拡張装置１０１が制御できる機器（以下「特定リモコン」ともいう）を、前記携帯電話機能拡張装置１０１に接続しておくことにより、前記特定リモコンを遠隔操作によって制御することが 可能となり、遠隔地からエアコンのスイッチをオン・オフすることができる。
【００２１】
また、請求項６に記載の発明によれば、遠隔地携帯  電話等が送信するデータを接続携帯電話が自動受信した場合には、接続携帯電話が、接続携帯電話のデジタルカメラを起動して周辺の様子を撮像し、さらに、撮像した 画像を添付ファイルとして所定のメールアドレスへ送信するという内容のものとしておくことにより、携帯電話機能拡張装置１０１を遠隔地携帯電話等から接続携帯電  話の周辺の状況を把握できるという、遠隔監視カメラシステムとして利用できる。
【００２２】
また、請求項７に記載の発明によれば、請求項５及び６に記載の発明の効果に加えて、接続携帯電話のカメラの視野を上下左右に移動することができる。このことにより、例えば、請求項６に記載の発明を介護者の監視カメラとしていた場合であって、介護者がカメラの視野に観測できなかった場合にはカメラの視野を移動して、介護者を捜すことができる。
【００２３】
また、請求項８に記載の発明によれば、
請求項１乃至４に記載の発明の効果に加えて、携帯電話機能拡張装置及びそれに接続された接続携帯電話全体を移動することができる。その結果、例えば請求項１に記載の発明を監視カメラとした場合には、その監視カメラを移動して、当初設置してあった部屋とは別の部屋の様子を遠隔から把握することができる。
【００２４】
また、請求項９に記載の発明によれば、
請求項５乃至７に記載の発明の効果に加えて、携帯電話機能拡張装置及びそれに接続された接続携帯電話全体を移動することができる。その結果、例えば請求項５に記載の発明を例えば外部機器にエアコンの前記特定リモコンを接続することにより、遠隔操作によって、エアコンのスイッチをオン・オフする用途に使用する場合には、携帯電話機能拡張装置及びそれに接続された接続携帯電話全体を移動して、リモコン操作を遠隔から制御できるという 効果を得られる。
【００２５】
また、請求項１０に記載の発明によれば、
請求項１、請求項２、請求項３、請求項５及び請求項６に記載の発明の効果に加えて、接続携帯電話本体を保持するという効果を得られる。
【００２６】
また、請求項１１に記載の発明によれば、
請求項１乃至１０に記載の発明の効果に加えて、前記接続携帯電話の充電池を充電できるという効果を得られる。
【発明を実施するための最良の形態】
【００２７】
以下、図を参照しつつ、発明を実施するための最良の形態について説明する。
【００２８】
図１は本発明の実施形態に係る携帯電話機能拡張 装置の基本的な構成を示すブロック図である。
図１において、１０１は携帯電話機能拡張装置である。１０２は携帯電話機能拡張装置１０１に接続された接続携帯電話である。また、１０３は中央処理部である。また、１０４はアプリケーションソフトロード部である。また、１２２はアプリケーションソフト起動部である。また、１０５は外部信号入力部である。また、１０６は自動受信データ処理・外部信号出力部である。また、１０７は外部センサーである。また、１０８は外部機器である。また、１１６はマイクである。また、１０９はACアダプターである。また、１１０は電源供給部である。また、１１１は、走行機構部である。また、１１２はチルト・パン機構部である。１１３はチルト・パン機構制御部である。１１４はタイマー部である。１１５はインターフェイス部である。１１７は、外部スピーカーである。１１８はアプリケーションソフト格納部である。１２３は、携帯電話起動部である。１１９は走行機構制御部である。１２０は接続携帯  電話を保持する携帯電話保持部である。また、１２１は、携帯電話機能拡張装置１０１に接続する外部機器を保持する外部機器保持部である。外部機器を携帯電話機能拡張装置１０１に接続するとともに、外部機器の向きを上下左右に変更する必要や、移動させる必要がある場合に携帯電話機能拡張装置１０１のチルト・パン機構部１１２や走行機構部１１１に外部機器保持部を制御させるものである。この種の制御を必要とする外部機器の例示としては、エアコンのオン・オフ等のためのリモコンがある。
【００２９】
本実施の形態に係る携帯電話機能拡張装置１０１は、 中央処理部１０３、インターフェイス部１１５、アプリケーションソフトロード部１０４、アプリケーションソフト起動部１２２、外部信号入力部１０５、自動受信データ処理・外部信号出力部１０６、ACアダプター１０９、電源供給部１１０、走行機構部１１１、チルト・パン機構部１１２、チルト・パン機構制御部１１３、アプリケーションソフト格納部１１８、走行機構制御部１１９、携帯電話保持部１２０、外部機器 保持部１２１、携帯電話起動部１２３及びタイマー部１１４より構成される。
【００３０】
図１において、マイク１１６、スピーカー１１７、外部センサー１０７及び外部機器１０８は携帯電話機能拡張装置１０１の制御装置の構成要素ではなく、携帯電話機能拡張装置１０１の制御装置に接続する外部機器の例示である。よって、携帯電話機能拡張装置１０１の用途によって、必要な外部機器を接続する。
【００３１】
次に、携帯電話機能拡張装置１０１各部の機能について説明する。中央処理部１０３は携帯電話機能拡張装置１０１の制御装置であり、インターフェイス部１１５、アプリケーションソフトロード部１０４、アプリケーションソフト起動部１２２、外部信号入力部１０５、自動受信データ処理・外部信号出力部１０６、ACアダプター１０９、電源供給部１１０、走行機構部１１１、チルト・パン機構部１１２、チルト・パン機構制御部１１３、タイマー部１１４及び携帯電話１０２と信号の受け渡しをするとともに、これらの各部を制御する。インターフェイス部１１５は携帯電話機能拡張装置１０１に接続された接続携帯  電話１０２と携帯電話機能拡張装置１０１との間で信号の授受を行う。信号の授受は例えばUSBケーブル、Ｂｌｕｅｔｏｏｔｈ機能等を利用して行う。アプリケーションソフトロード部１０４は、接続携帯電話１０２の各種の機能を働かせるために必要なアプリケーションソフトをロードする。また、アプリケーションソフトは携帯電  話機能拡張装置１０１を使用して構築しようとする用途に整合させて作成する。アプリケーションソフト起動部１２２は、アプリケーションソフトを起動して、携帯電話機能拡張装置１０１等に種々の機能を発揮させる。外部信号入力部１０５は外部機器よりの信号を受け入れ、中央処理部１０３へ送る。外部機器としては、例えば、人体に反応する赤外線センサーが該当する。自動受信データ処理・外部信号出力部１０６は自動受信したデータを解析して、必要な信号を外部機器へ送り、外部機器を制御する。この外部機器としては、例えば、エアコンのオン・オフを行う機能を有するリモコンである。また、自動受信データ処理・携帯機能起動部１２３は接続携帯電話１０２が自動受信したデータを解析して、解析結果に基づいて接続携帯電話１０２の機能を起動する。例えば、デジタルカメラを起動して、撮像させる。ACアダプター１０９及び電源供給部１１０は携帯電話機能 拡張装置１０１及び必要に応じて接続携帯電話１０２に電力を供給するためのものである。次に、チルト・パン機構部１１２は接続携帯電話を保持している台の向きを上下左右に変化させることにより接続携帯電話のデジタルカメラの視野を変化させる。このチルト・パン機構により、例えば、携帯電話機能拡張装置１０１を監視カメラシステムとして構成する場合には、接続携帯電話のデジタルカメラ部の視野を変化させることにより、監視カメラシステムの監視領域を拡大させることが可能となる。走行機構部１１１は走行機構制御部１１９からの信号により携帯電話機能拡張装置１０１全体を移動させる。この走行機構としては、例えば、ラジコンの走行機構を利用して構成する。また、この走行機構により、携帯電話機能拡張装置１０１を監視カメラシステムとして構成する場合には、携帯電話機能拡張装置１０１全体を移動して、接続  携帯電話のデジタルカメラ部の視野を変化させることにより、監視カメラシステムの監視領域を拡大させることが可能となる。
【００３２】
次に、具体的な用途に使用する場合の実施の形態について説明する。
（実施の形態１）
本実施の形態１は、携帯電話機能拡張装置１０１を遠隔から制御する監視カメラシステムとして構築する場合の形態である。
【００３３】
図２は本実施の形態１に係る監視カメラシステムの構成を示すブロック図である。
以下、図２に基づいて説明する。図２において、２０１は携帯電話機能拡張装置１０１に接続される接続携帯  電話１０２とは異なる携帯電話であり、遠隔地から接続携帯電話に商用の電波を通じて、通信することにより、携帯電話機能拡張装置１０１に接続された接続携帯  電話１０２のデジタルカメラにより撮像された像を取得することにより携帯電話機能拡張装置１０１の周囲の状況を把握するために使用する遠隔地携帯電話等である。遠隔地携帯電話等２０１以外の各部の説明については、図１の場合と同じであるので説明は省略する。
【００３４】
監視カメラシステムとして使用する場合には、携帯電話機能 拡張装置１０１をその周辺を監視するべき場所に設置し、接続携帯電話１０２を携帯電話機能拡張装置１０１に接続する。ただし、携帯電話は常時、接続しておく必要はなく、通常は一般の携帯電話として使用し、監視システムによる監視を必要とする場合にのみ携帯電話機能拡張装置１０１に接続すればよい。外部信号入力部１０５には何も接続する必要はない。ただし、特定の領域に人体の存在を感じた場合に遠隔携帯電話に信号を送信したい場合には、人体の存在に反応するセンサー（例えば、赤外線センサー）を外部信号入力部１０５に接続すればよい。
【００３５】
アプリケーションソフトロード部１０４によりロードされるアプリケーションソフトは、接続  携帯電話１０２に、遠隔地携帯電話等２０１からの信号に基づいて、又は、タイマー部１１４からの信号により一定時間毎に、接続携帯電話１０２のデジタルカメラにより携帯電話機能拡張装置１０１の周囲の状況を撮像して、遠隔地携帯電話等２０１に撮像したデータを送信する機能を発揮させる内容のソフトウェアプログラムである。また、必要に応じて、各種の機能をアプリケーションソフトに盛り込むこともできる。また、監視すべき範囲により、接続携帯電話の設置されている向きを変化させなければ、監視すべき範囲が接続携帯電話のデジタルカメラの視野に入らない場合には、アプリケーションソフトに、遠隔携帯電話からの信号に応じて、チルト・パン機構 制御部１１３の制御によりチルト・パン機構部１１２により接続携帯電話１０２の向きを上下左右に動かし接続携帯電話１０２のデジタルカメラの視野を移動することを可能とする 内容のソフトウェアプログラムを盛り込む。アプリケーションソフトについては、後の（実施の形態１に係るアプリケーションソフトについて）においても説明する。
【００３６】
次に図３について説明する。また、図３は、携帯電  話機能拡張装置を監視カメラとして構成した場合の使用状態を示す概略図である。家族の一員であるお年寄りの自宅における様子を、遠隔地にいる家族が、監視カメラ システムにより確認している様子を示すものである。
図３において、３０１は遠隔地の家族が遠隔地携帯電話等を操作している概略図である。２０１は遠隔地の家族が操作している遠隔地携帯電話等である。３０３は家族の一員であるお年寄りの自宅の様子を示す概略図である。３０４は家族の一員であるお年寄りである。１０２は接続携帯電話である。３０５は接続携帯電話１０２がセットされた携帯電話機能拡張装置１０１である。
【００３７】
お年寄りは、外出する時には携帯電話を持って出て、音声等による連絡用の通常の携帯電話として使用し、帰宅して床に就くときには、その携帯電話を携帯電話機能拡張装置１０１にセットすることにより、携帯電話機能拡張装置１０１は監視カメラシステムとして機能し、家族は遠隔地から家族の携帯電話を使用して、自宅のお年寄りの様子を把握することができる。
（実施の形態１に係るアプリケーションソフトについて）
実施の形態１に係る、携帯電話機能拡張装置１０１を監視カメラシステムとして機能させる場合のアプリケーションソフトについて説明する。アプリケーションソフトは接続携帯電話として使用をする予定の携帯電話のメーカー及び機種から要求される要件と携帯電話機能拡張装置１０１の用途に合わせて、作成する。図６は、携帯電話機能拡張装置１０１を監視カメラシステムとして機能させる場合のアプリケーションソフトの処理の概略を示すフローチャートである。最初にステップＳ６０１において、接続携帯電話１０２が自動受信したデータは遠隔地携帯  電話等２０１が送信したものか否かを判断して、遠隔地携帯電話等２０１以外の携帯電話から送信されたものである場合にはアプリケーションソフトを終了する。遠隔地携帯電話等２０１以外の携帯電話から送信されたものである場合には、通常のメールとして取り扱うだけでよいからである。次に、Ｓ６０２において、自動受信されたデータが携帯電話 機能拡張装置１０１を制御するためのデータを含むか否かを判断する。含んでいなければアプリケーションソフトを終了する。遠隔地携帯電話等２０１から送信されたものであっても、制御するためのデータを含んでいない場合には通常のメールとして取り扱うだけでよいからである。次に、ステップＳ６０３において、携帯電話機能拡張装置１０１の走行機構を制御するためのデータを含んでいるか否かを判断する。含んでいれば、ステップＳ６０７へ進み、含んでいなければ、ステップ６０４へ進む。ステップ６０７では、自動受信したデータに基づいて、走行制御部１１９に指令を送信して、走行機構部１１１を駆動させ、携帯電話機能拡張装置１０１全体を走行させる。
次に、ステップＳ６０４において、携帯  電話機能拡張装置１０１のチルト・パン機構を制御するためのデータを含んでいるか否かを判断する。含んでいれば、ステップＳ６０８へ進み、含んでいなければ、ステップ６０５へ進む。ステップ６０８では、自動受信したデータに基づいて、チルト・パン制御部１１３にチルト・パン機構部１１２を駆動させ、接続携帯電話保持部１２０の向きを変えさせる。次に、ステップ６０５において、接続携  帯電話１０２のデジタルカメラを起動させて撮像させる。次に、ステップ６０６において、接続携帯電話１０２のメール機能を駆動させて、遠隔地携帯電話等２０１へ画像を送る。
以上が、実施の形態１に係るアプリケーションソフトの処理の概要である。以上のステップのうち、種々のアプリケーションソフトに共通の処理については、自動受信データ処理・外部信号出力部１０６の機能に含ませて、アプリケーションソフトの内容からは省いても良い。例えば、ステップＳ６０１とＳ６０２の処理等である。
（実施の形態１の効果）
実施の形態１に係る、携帯電話機能拡張装置１０１による監視カメラシステムは、システムを構成する構成要素のうち比較的高価なカメラ部分を接続携帯電話のデジタルカメラ部分を活用でき、専用のカメラ機構を必要としないので、従来の監視カメラシステムに比較して、格段に低価格で実現できる。また、接続携帯電話１０２は、携帯電話機能拡張装置１０１から離脱すれば、通常の携帯電話として使用できるので、電話料金を二重に支払う必要もなく重複した経費を必要としない。現実的な使用形態としては、お年寄りが外出するときは持ち出して自分の携帯電話として使用し、帰宅したときには、該携帯電話を携帯電話機能拡張装置１０１に接続することにより、通常の携帯電話の充電器にセットするような感覚で気軽に携帯電話機能拡張装置１０１を簡易な監視カメラシステムとして機能させることができ、例えば、お年寄りが病気で床についていることが多い場合には、お年寄りの携帯電話を接続した携帯電話機能 拡張装置１０１を布団の近辺に設置しておくことにより、お年寄りの家族等が、遠隔地から遠隔地携帯電話等で病気で床についているお年寄りの状況を把握できるという システムを低価格で実現できる。
（実施の形態２）
本実施の形態２は、携帯電話をセットした携帯電話機 能拡張装置１０１を遠隔から、遠隔地携帯電話等２０１を使用して、自宅のエアコンを制御する遠隔リモコンシステムとして構成する場合の実施の形態である。
【００３８】
図４は本実施の形態２に係る遠隔リモコンシステムの構成を示すブロック図である。以下、図４に基づいて説明する。図４において、２０１は遠隔地から使用する遠隔地携帯電話等である。４０２は自宅の制御対象であるエアコン（ 以下「対象エアコン」という）である。４０３は携帯電話機能拡張装置１０１に外部機器として接続されている特定リモコンである。これら以外の各部については、図１の場合と同じであるので説明は省略する。
【００３９】
遠隔リモコンシステムとして使用する場合には、特定リモコン４０３を対象エアコン４０２に対してリモコン操作が可能な領域内に設置する。また、特定リモコン４０３は携帯電話機能拡張装置１０１の信号出力部１０６に接続する。接続携帯電話１０２は携帯電話機能拡張装置１０１に接続する。ただし、常時、接続しておく必要はなく、通常は一般の携帯電話として使用し、遠隔リモコンシステムによるリモコン操作を必要とする場合にのみ携帯電話機能拡張装置１０１すればよい。なお、外部信号入力部１０５には特に何も接続しなくてもよい。
【００４０】
アプリケーションソフトロード部１０４によりロードされるアプリケーションソフトは、接続  携帯電話１０２に、遠隔地携帯電話等２０１からの信号に基づいて、特定リモコン４０３から対象エアコン４０２に信号を発信して対象エアコンを制御（オン・オフ・温度調節等）する内容のソフトウェアプログラムとする。また、必要に応じて、これ以外の各種の機能をアプリケーションソフトに盛り込む。アプリケーションソフトについては、後の「実施の形態２に係るアプリケーションソフトについて」においても説明する。
対象エアコン４０２は複数であってもよく、対象エアコン４０２が特定リモコン４０３のリモコン操作可能領域に存在しない場合においても、遠隔リモコン操作を必要とする場合には、アプリケーションソフトに走行機構制御部１１９に走行機構１１１を制御して、携帯電話機能拡張装置１０１全体を移動する機能を設定する。また、この場合には特定リモコン４０３を携帯電話機能拡張装置１０１の一部に保持する外部機器保持部１２１を設けて、特定リモコン４０３を外部機器保持部１２１にセットする。また、特定リモコン４０３の向きを変化させてリモコン操作をさせる 必要がある場合には、アプリケーションソフトにチルト・パン機構制御部１１３にチルト・パン機構部１１２を制御して、携帯電話機能拡張装置１０１の外部機器保持部１２１を上下左右に動かす制御ソフトを盛り込む。
【００４１】
次に図５について説明する。図５は、携帯電話機能 拡張装置を遠隔リモコン制御システムとして構成した場合の使用状態を示す概略図である。図５において、５０１は遠隔地から携帯電話を操作して、自宅の特定リモコン４０３を制御して、自宅のエアコンをオン又はオフしている様子を示している。５０２は遠隔リモコン制御システムを構成する携帯電話機能拡張装置１０１がセットされている自宅の様子である。５０４は接続携帯電話１０２及び特定リモコン４０３がセットされた携帯電話機能拡張装置１０１である。外出中に遠隔地から携帯電話２０１を操作することにより、携帯電話機能拡張装置１０１の特定リモコン４０３を制御してエアコン４０２をオンまたはオフ等の状態にすることができる。外出中の家族の一員が帰宅直前に、自宅のエアコンをオンさせて、自宅に到着したときには、自宅内の室温が適温にするような場合に使用する。また、エアコンを切り忘れて外出してしまった場合に遠隔地からエアコンをオフにする場合などにも有効である。
（実施の形態２に係るアプリケーションソフトについて）
実施の形態２に係る、携帯電話機能拡張装置１０１を遠隔リモコンシステムとして機能させる場合のアプリケーションソフトについて説明する。実施の形態１の場合と同様に、アプリケーションソフトは接続携帯電話として使用をする予定の携帯電話のメーカー及び機種から要求される要件と携帯電話機能拡張装置１０１の用途に合わせて、作成する。図７は、携帯電話機能拡張装置１０１を遠隔リモコンシステムとして機能させる場合のアプリケーションソフトの処理の概略を示すフローチャートである。最初にステップＳ７０１において、接続携帯電話１０２が自動受信したデータは遠隔地携帯電話等２０１が送信したものか否かを判断して、遠隔地携帯電話等２０１以外の携帯電話から送信されたものである場合にはアプリケーションソフトを終了する。遠隔地携帯電話等２０１以外の携帯電話から送信されたものである場合には、通常のメールとして取り扱うだけでよいからである。次に、Ｓ７０２において、自動受信されたデータが携帯電話 機能拡張装置１０１を制御するためのデータを含むか否かを判断する。含んでいなければアプリケーションソフトを終了する。遠隔地携帯電話等２０１から送信されたものであっても、制御するためのデータを含んでいない場合には通常のメールとして取り扱うだけでよいからである。以上の事情は実施の形態１の場合と同様である。
次に、ステップＳ７０３において、携帯  電話機能拡張装置１０１の走行機構を制御するためのデータを含んでいるか否かを判断する。含んでいれば、ステップＳ７０６へ進み、含んでいなければ、ステップ７０４へ進む。ステップ７０６では、自動受信したデータに基づいて、走行制御部１１９に指令を送信して、走行機構部１１１を駆動させ、携帯電話機能拡張装置１０１全体を走行させる。
次に、ステップＳ７０４において、携帯電話機能拡張装置１０１のチルト・パン機構を制御するためのデータを含んでいるか否かを判断する。含んでいれば、ステップＳ７０７へ進み、含んでいなければ、ステップ７０５へ進む。ステップ７０７では、自動受信したデータに基づいて、チルト・パン制御部１１３にチルト・パン機構部１１２を駆動させ、外部機器保持部１２０の向きを変えさせる。次に、ステップ７０５において、自動受信データ処理・外部信号出力部１０６から信号を出力して、特定外部リモコン４０３を駆動して、エアコン４０２をオン又はオフする。
【００４２】
以上が、実施の形態２に係るアプリケーションソフトの処理の概要である。以上のステップのうち、実施の形態１の場合と同様に、種々のアプリケーションソフトに共通の処理については、自動受信データ処理・外部信号出力部１０６が行っても良い。例えば、ステップＳ７０１とＳ７０２の処理等である。
（実施の形態２の効果）
実施の形態２に係る、携帯電話機能拡張装置１０１による遠隔リモコンシステムは、低価格で実現できる。また、接続携帯電話は、携帯電話機能拡張装置１０１から離脱すれば、通常の携帯電話として使用できるので、電話 料金を二重に支払う必要もなく余分な経費を必要とすることもない。また、アプリケーションソフトを変更または追加することにより、必要に応じて、遠隔リモコンシステムだけではなく、実施の形態１に係る監視カメラシステムとしても使用することもできる。
【図面の簡単な説明】
【００４３】
【図１】本発明の実施の形態に係る携帯電話 機能拡張装置の基本的な構成を示すブロック図である。
【図２】携帯電話機能拡張装置を監視カメラとして構成した場合の構成を示すブロック図である。
【図３】携帯電話機能拡張装置を監視カメラとして構成した場合の 使用状態を示す概略図である。
【図４】携帯電話機能拡張装置を遠隔リモコンシステムとして構成した場合の構成を示すブロック図である。
【図５】携帯電話機能拡張装置を遠隔リモコンシステムとして構成した場合の使用状態を示す概略図である。
【図６】携帯電話機能拡張装置１０１を監視カメラシステムとして機能させる場合のアプリケーションソフトの処理の概略を示すフローチャートである。
【図７】携帯電話機能拡張装置１０１を遠隔リモコンシステムとして機能させる場合のアプリケーションソフトの処理の概略を示すフローチャートである。
【符号の説明】
【００４４】
１０１      携帯電話機能拡張装置
１０２      接続携帯電話
１０３      中央処理部
１０４      アプリケーションソフトロード部
１０５      外部信号入力部
１０６      信号出力部
１０７      外部センサー
１０８      外部機器
１０９      ACアダプター
１１０      電源供給部
１１１      走行機構部
１１２      チルト・パン機構部
１１３      チルト・パン機構制御部
１１４      タイマー部
１１５      インターフェイス部
１１６      マイク部
１１７      外部スピーカー
１１８      アプリケーションソフト格納部
１１９      走行機構制御部
１２０      接続携帯電話保持部
１２１      外部機器保持部
１２２      アプリケーションソフト起動部
１２３      自動受信データ処理・携帯機能起動部
２０１      遠隔地携帯電話等
３０１      遠隔地の家族が遠隔地携帯電話等を操作している様子
３０３      家族の一員であるお年寄りの自宅
３０４      家族の一員であるお年寄り
３０５      携帯電話機能拡張装置が監視カメラシステムとして構成されているもの
４０２      エアコン
４０３      特定リモコン
５０１      家族が遠隔地携帯電話等を操作する様子
５０２      自宅
５０４      携帯電話機能拡張装置が遠隔リモコン制御装置として構成されているもの
【図１】
2006262315.tif 000003
【図２】
2006262315.tif 000004
【図３】
2006262315.tif 000005
【図４】
2006262315.tif 000006
【図５】
2006262315.tif 000007
【図６】
2006262315.tif 000008
【図７】
2006262315.tif 000009